(57)【要約】【課題】ユーザが必要とする情報の検索および表示を、迅速かつ容易に行うことおよびセンタ側で端末の表示制御を行うことで、端末の操作性を向上させること。【解決手段】ユーザの入力操作によって、ディスプレイ画面上に表示されているメニューの項目の中から、必要な項目が操作部の釦操作で選択されると、センタ２０では、メニュー並び替え制御部２２が、たとえばそのとき端末装置１０から送信される釦の操作情報から選択されたメニューの項目を検出して、メニュー毎に項目の並び替えを行い、かつそのメニューをユーザ用メニュー格納部２３に保持しておき、次回のユーザの入力操作のときに、この保持されたメニューを車載端末装置１０に送ってディスプレイ画面上に表示させる。【選択図】      図１
2004295698.tif 000002
【特許請求の範囲】
【請求項１】
各ユーザからの入力操作に対して、センタから所定の情報を提供するためのメニューを送出し、各ユーザの端末装置に表示させる表示メニュー並び替え方法において、
前記センタは、
前記入力操作によって、前記メニューを構成する項目に対する操作情報を検出する検出工程と、
階層構造のメニュー毎に、前記検出した操作情報に基づいて、前記メニュー内の項目の並び替えを行って、当該メニューを保持する第１の並び替え工程と、
次の前記入力操作のときに、前記並び替えたメニューを送出する第１の送出工程と、を含むことを特徴とする表示メニュー並び替え方法。
【請求項２】
前記第１の並び替え工程では、前記検出された操作情報に対応する項目をメニューの先頭に順次並び替えて保持することを特徴とする請求項１に記載の表示メニュー並び替え方法。
【請求項３】
前記第１の並び替え工程では、閲覧した目的の情報に対応する項目を特定項目の後尾に順次並び替えて保持することを特徴とする請求項１または２に記載の表示メニュー並び替え方法。
【請求項４】
前記検出工程では、前記入力操作によって入力する前記端末装置の位置情報を検出し、前記第１の並び替え工程では、入力する位置情報に基づいて、前記メニュー内の項目の並び替えを行って保持することを特徴とする請求項１に記載の表示メニュー並び替え方法。
【請求項５】
前記表示メニュー並び替え方法では、前記端末装置は、車に搭載されており、前記検出工程では、前記端末装置から入力する前記車の車種情報を検出し、前記第１の並び替え工程では、該当する車種に関連する情報に対応するメニューの項目を、特定項目の先頭に順次並び替えて保持することを特徴とする請求項１に記載の表示メニュー並び替え方法。
【請求項６】
前記表示メニュー並び替え方法では、前記端末装置は、車に搭載されており、前記検出工程では、前記端末装置から入力する前記車内の接続情報を検出し、前記第１の並び替え工程では、該当する接続情報に関連する情報に対応するメニューの項目を、特定項目の先頭に順次並び替えて保持することを特徴とする請求項１に記載の表示メニュー並び替え方法。
【請求項７】
前記第１の並び替え工程では、前記メニューの提供時に前記メニュー内の項目を、各ユーザから取得した所定情報を基に並び替えて保持することを特徴とする請求項１〜３のいずれか一つに記載の表示メニュー並び替え方法。
【請求項８】
前記表示メニュー並び替え方法では、前記端末装置は、前記ユーザが入力する操作情報に基づいて、前記メニュー内の項目を並び替えて保持する第２の並び替え工程と、
前記項目が並び替えられたメニューを前記センタに送出する第２の送出工程とを含み、
前記センタは、請求項１〜７の各工程を含んでおり、前記検出工程で、前記端末装置から受信した前記項目が並び替えられたメニューを検出し、前記第１の並び替え工程において、前記項目が並び替えられたメニューに基づきメニューを更新する更新工程とをさらに含むことを特徴とする請求項１〜７のいずれか一つに記載の表示メニュー並び替え方法。
【請求項９】
前記表示メニュー並び替え方法では、前記端末装置は、メニュー毎に項目を並び替える条件を選択する条件選択工程と、
前記選択された条件を前記センタに送出する第３の送出工程とをさらに含み、前記センタは、請求項１〜７の各工程を含んでおり、前記検出工程において、前記端末装置から受信した前記選択された条件を検出する条件検出工程と、
前記条件検出工程後に、前記検出された選択条件に基づいて前記項目の並び替えを指示する指示工程をさらに含み、
前記第１の並び替え工程では、前記並び替えの指示に基づいて、メニューの並び替えを行って保持することを特徴とする請求項１〜８のいずれか一つに記載の表示メニュー並び替え方法。
【請求項１０】
前記表示メニュー並び替え方法では、前記センタは、前記第１の並び替え工程で前記ユーザに対してメニュー情報の要不要を判断する判断工程をさらに含み、
第１の送出工程では、前記不要と判断されたメニューの前記端末装置への送出を停止することを特徴とする請求項１〜９のいずれか一つに記載の表示メニュー並び替え方法。
【請求項１１】
前記表示メニュー並び替え方法では、前記センタは、前記第１の並び替え工程後に前記第１の並び替え工程で保持されたメニューの中から、一度も操作されていない前記メニューの項目を検知する検知工程と、
前記検知された項目の送出を停止する送出制御工程とをさらに含むことを特徴とする請求項１〜１０のいずれか一つに記載の表示メニュー並び替え方法。
【請求項１２】
前記表示メニュー並び替え方法では、前記センタは、前記検知工程後に前記検知工程で検知された項目を前記端末装置に送出するかどうか問い合わせる問い合わせ工程をさらに含み、
前記送出制御工程では、前記問い合わせの結果に応じて、前記検知された項目の送出を停止し、
前記端末装置は、前記問い合わせに対して、前記検知された項目の送出または送出停止を指示する指示工程とをさらに含むことを特徴とする請求項１１に記載の表示メニュー並び替え方法。
【請求項１３】
前記指示工程では、送出停止を指示した項目に対して停止の解除を指示し、
前記送出制御工程では、前記停止の解除指示が入力されると、当該項目の送出を再開することを特徴とする請求項１２に記載の表示メニュー並び替え方法。
【請求項１４】
通信手段を介して各端末装置へのメニューの出力および前記メニューの並び替えを行う表示メニュー並び替え装置において、
前記通信手段により接続された前記端末装置からの操作情報に基づいて、前記メニュー内の項目の並び替えを行う並び替え手段を備え、
前記通信手段により、前記並び替えたメニューを前記端末装置に送出することを特徴とする表示メニュー並び替え装置。
【請求項１５】
通信手段を介して表示メニュー並び替え装置に各種情報を出力する端末装置において、
前記通信手段により接続された前記表示メニュー並び替え装置に、メニューの並び替えを行わせるための特定情報を出力する情報出力手段を備え、
前記通信手段により、並び替えられたメニューを表示メニュー並び替え装置から取り込むことを特徴とする端末装置。
【請求項１６】
通信手段を介してセンタからダウンロードしたメニューを出力させる端末装置において、
前記メニューを構成する項目を選択するための選択手段と、
前記選択手段による前記メニューの項目の選択に基づいて、前記メニュー内の項目を並び替える第２の並び替え手段とを備え、
前記第２の並び替え手段により並び替えられたメニューを、前記通信手段により前記センタに送出することを特徴とする端末装置。
【請求項１７】
各ユーザの端末装置からの入力操作に対して、センタからメニューを出力して、前記端末装置に表示させる表示メニュー並び替えシステムにおいて、
前記センタは、請求項１４に記載の表示メニュー並び替え装置を備え、
前記端末装置は、請求項１５または１６のいずれか一つに記載の端末装置からなり、
前記端末装置から前記センタへの入力操作に対して、前記センタがメニューの出力および前記メニューの並び替えを行うことを特徴とする表示メニュー並び替えシステム。
【発明の詳細な説明】
【０００１】
【発明の属する技術分野】
この発明は、ユーザの端末装置の入力操作に応じてセンタが表示メニュー内の項目の並び替えを行う表示メニュー並び替え方法、表示メニュー並び替え装置、端末装置およびこれら装置を用いた表示メニュー並び替えシステムに関するものである。
【０００２】
【従来の技術】
近年、インターネットなどの普及により、プロバイダなどの通信事業者が情報検索用のサイトを開設し、ユーザの個人的な情報を収集して、ユーザの嗜好に応じた種々の情報を配信するサービスが提供されている。このような配信サービスにおいては、ユーザによる操作性を向上させるために、パソコンや携帯電話機などの通信機器に、コマンドなどの項目の一覧をメニュー形式で表示させて、その中から各ユーザが必要とする情報を選択して検索する方法が一般的に用いられていた。
【０００３】
このメニュー形式では、複数の項目からなる複数のメニューが階層的に関連付けられた構造になっており、この配信サービスでは、ユーザが、開設されたサイトのホームページを閲覧して、この階層構造からなるメニューに表示された項目の中から、目的とする情報に関連した項目を順次選択することで、ユーザが必要とする情報を検索して取得していた。
【０００４】
このような従来例のシステムとしては、たとえば特許文献１に示すように、入力装置において、ユーザによる項目の選択度合いに応じて、上記項目の表示順序を変更するものがある。このシステムでは、入力装置に、メニューを構成するコマンド等の各項目の選択履歴を記憶し、入力装置により選択されたメニューの項目の使用頻度が高いものほど、大きなフォントサイズで、かつ上部に表示される。また、使用頻度が所定値に達しない項目は、マイクロソフト社のＷｉｎｄｏｗｓ（登録商標）などに代表されるように、さらに操作を行う必要があるサブメニューにまとめて表示されていた。
【０００５】
【特許文献１】
特開２０００−９９２３１号公報（第１−６頁、図１）
【０００６】
【発明が解決しようとする課題】
しかしながら、上記従来例では、入力装置、すなわちユーザの端末装置で表示メニューのデータを保管し、この端末装置自体のプログラムによってメニューの並び替えや削除などの処理を行っていた。このため、端末装置の種類によっては、データの保管や処理能力に制限があり、ユーザが所望の情報を取得するために有益な処理であるメニューの並び替えなどの処理を行うことができないという問題点があった。
【０００７】
また、このメニューを表示するための表示部の画面が小さい端末装置では、メニュー内の全ての項目を一度に画面上に表示することができず、ユーザが必要とする項目を認識するためには、画面のスクロールやページ送りを繰り返して項目を順次表示させなければならず、操作が煩雑になるという問題点があった。また、メニューの並び替えに関しても、使用頻度だけでは実際にメニューを閲覧するときのユーザの嗜好や要求に合わないことも考えられる。
【０００８】
この発明は、上記問題点に鑑みなされたもので、ユーザが必要とする情報の検索および表示を、迅速かつ容易に行うことができる表示メニュー並び替え方法、表示メニュー並び替え装置、端末装置およびこれら装置を用いた表示メニュー並び替えシステムを提供することを目的とする。
【０００９】
また、この発明の他の目的は、センタ側で端末の表示制御を行うことで、端末の操作性を向上させることができる表示メニュー並び替え方法、表示メニュー並び替え装置およびその装置を用いたシステムを提供することにある。
【００１０】
【課題を解決するための手段】
上記目的を達成するため、請求項１にかかる表示メニュー並び替え方法では、各ユーザからの入力操作に対して、センタから所定の情報を提供するためのメニューを送出し、各ユーザの端末装置に表示させる表示メニュー並び替え方法において、前記センタは、前記入力操作によって、前記メニューを構成する項目に対する操作情報を検出する検出工程と、階層構造のメニュー毎に、前記検出した操作情報に基づいて、前記メニュー内の項目の並び替えを行って、当該メニューを保持する第１の並び替え工程と、次の前記入力操作のときに、前記並び替えたメニューを前記端末装置に送出する第１の送出工程とを含むことを特徴とする表示メニュー並び替え方法が提供される。
【００１１】
この発明によれば、ユーザの入力操作によって、画面上に表示されているメニューの項目の中から、必要な項目が釦操作で選択されると、センタは、たとえばそのとき端末装置から送信される釦の操作情報から選択されたメニューの項目を検出して、メニュー毎に項目の並び替えを行い、かつそのメニューを保持しておき、次回のユーザの入力操作のときにこの保持されたメニューを、端末装置に送ってディスプレイの画面上に表示することで、ユーザが必要とする情報の検索および表示を、迅速かつ容易に行う。
【００１２】
また、請求項２にかかる表示メニュー並び替え方法にて、前記第１の並び替え工程では、前記検出された操作情報に対応する項目をメニューの先頭に順次並び替えて保持することを特徴とする。
【００１３】
この発明によれば、項目の並び替えの際に、選択されたメニューの項目を前記メニューの先頭に並び替えることで、その時々のユーザの嗜好や要求に合ったメニューの表示を可能にする。
【００１４】
また、請求項３にかかる表示メニュー並び替え方法にて、前記第１の並び替え工程では、閲覧した目的の情報に対応する項目を特定項目の後尾に順次並び替えて保持することを特徴とする。
【００１５】
この発明によれば、目的の情報、たとえばニュース記事の閲覧による既読や未読の場合に、釦操作により既読状態になったニュース記事に対応する項目を、特定項目である未読状態にあるニュース記事に対応する項目の後尾に順次並び替えることで、次に見たい情報の検索および表示を、迅速かつ容易に行う。
【００１６】
また、請求項４にかかる表示メニュー並び替え方法にて、前記検出工程では、前記入力操作によって入力する前記端末装置の位置情報を検出し、前記第１の並び替え工程では、入力する位置情報に基づいて、前記メニュー内の項目の並び替えを行って保持することを特徴とする。
【００１７】
この発明によれば、端末装置が定期的または情報入手時に送信する位置情報をセンタで検出して、この位置情報に基づいて、メニューの項目を並び替えることで、たとえば地域的に予報される天気の情報の検索および表示を、迅速かつ容易に行う。
【００１８】
また、請求項５にかかる表示メニュー並び替え方法にて、前記端末装置は、車に搭載されており、前記検出工程では、前記端末装置から入力する前記車の車種情報を検出し、前記第１の並び替え工程では、該当する車種に関連する情報に対応するメニューの項目を、特定項目の先頭に順次並び替えて保持することを特徴とする。
【００１９】
この発明によれば、端末装置が車に搭載されている場合には、その車の車種情報を端末装置からセンタに送信し、センタでこの車種情報に基づいて、車種に必要な項目を、特定項目である不要な項目の先頭に順次並び替えることで、たとえば駐車場の空き状態を表示するメニューでは、該当する車種（普通自動車など）の項目に対しては、不要な車種（大型自動車など）の項目の先頭に並び替えて、必要な情報を迅速に検索可能にする。
【００２０】
また、請求項６にかかる表示メニュー並び替え方法にて、前記端末装置は、車に搭載されており、前記検出工程では、前記端末装置から入力する前記車内の接続情報を検出し、前記第１の並び替え工程では、該当する接続情報に関連する情報に対応するメニューの項目を、特定項目の先頭に順次並び替えて保持することを特徴とする。
【００２１】
この発明によれば、端末装置が車に搭載されている場合には、その車内の接続情報を端末装置からセンタに送信し、センタでこの接続情報に基づいて、接続に必要な項目を、特定項目である不要な項目の先頭に順次並び替えることで、たとえばＭＤプレーヤが接続されていない端末装置に対しては、ＭＤに関する情報を後方に並び替えて、必要な情報を迅速に検索可能にする。
【００２２】
また、請求項７にかかる表示メニュー並び替え方法にて、前記第１の並び替え工程では、前記メニューの提供時に前記メニュー内の項目を、各ユーザから取得した所定情報を基に並び替えて保持することを特徴とする
【００２３】
この発明によれば、デフォルトのメニュー内の項目を各ユーザから取得した所定情報、たとえば世間での人気動向に基づいて、人気の多い順に並び替えることで、より多くのユーザが満足できる順番でメニューを表示する。
【００２４】
また、請求項８にかかる表示メニュー並び替え方法にて、前記端末装置は、前記ユーザが入力する操作情報に基づいて、前記メニュー内の項目を並び替えて保持する第２の並び替え工程と、前記項目が並び替えられたメニューを前記センタに送出する第２の送出工程とを含み、前記センタは、請求項１〜７の各工程を含んでおり、前記検出工程で、前記端末装置から受信した前記項目が並び替えられたメニューを検出し、前記第１の並び替え工程において、前記項目が並び替えられたメニューに基づきメニューを更新する更新工程とをさらに含むことを特徴とする。
【００２５】
この発明によれば、端末装置を用いてユーザがメニューをカスタマイズし、項目が並び替えられたメニューをセンタに送出して、センタで保持し、次回のユーザの入力操作のときにこの保持されたメニューを、端末装置に送って表示装置の画面上に表示することで、ユーザが必要とする情報の検索および表示を、迅速かつ容易に行う。
【００２６】
また、請求項９にかかる表示メニュー並び替え方法にて、前記端末装置は、メニュー毎に項目を並び替える条件を選択する条件選択工程と、前記選択された条件を前記センタに送出する第３の送出工程とをさらに含み、前記センタは、請求項１〜７の各工程を含んでおり、前記検出工程において、前記端末装置から前記選択された条件を検出する条件検出工程と、前記条件検出工程後に、前記検出された選択条件に基づいた前記項目の並び替えを指示する指示工程をさらに含み、前記第１の並び替え工程では、前記並び替えの指示に基づいて、メニューの並び替えを行って保持することを特徴とする。
【００２７】
この発明によれば、端末装置でメニュー毎に並び替える条件、たとえば優先度などをユーザが選択して送出し、この条件でセンタが項目の並び替えを行うことで、メニュー毎にユーザが必要とする情報に最適化して、ユーザが必要とする情報の検索および表示を、迅速かつ容易に行う。
【００２８】
また、請求項１０にかかる表示メニュー並び替え方法にて、前記センタは、前記第１の並び替え工程で、前記ユーザに対してメニュー情報の要不要を判断する判断工程をさらに含み、第１の送出工程では、前記不要と判断されたメニューの前記端末装置への送出を停止することを特徴とする。
【００２９】
この発明によれば、メニューの項目のうち、明らかに不要な項目は、センタから端末装置に送信しないように設定することで、料金体系が従量制の場合には、データ通信量が削減されて、通信料を抑えることが可能となる。
【００３０】
また、請求項１１にかかる表示メニュー並び替え方法にて、前記センタは、前記第１の並び替え工程後に前記第１の並び替え工程で保持されたメニューの中から、一度も操作されていない前記メニューの項目を検知する検知工程と、前記検知された項目の送出を停止する送出制御工程とをさらに含むことを特徴とする。
【００３１】
この発明によれば、たとえばこれまでに１度も選択されていないメニューの項目を、センタから端末装置に送信しないように制御することで、センタからの送信データを削減し、通信料を抑える。
【００３２】
また、請求項１２にかかる表示メニュー並び替え方法にて、前記センタは、前記検知工程後に前記検知工程で検知された項目を前記端末装置に送出するかどうか問い合わせる問い合わせ工程をさらに含み、前記送出制御工程では、前記問い合わせの結果に応じて、前記検知された項目の送出を停止し、前記端末装置は、前記問い合わせに対して、前記検知された項目の送出または送出停止を指示する指示工程とをさらに含むことを特徴とする。
【００３３】
この発明によれば、たとえばこれまでに１度も選択されていないメニューの項目に対しては、送信の有無を問い合わせて確認することで、センタからの送信データを削減し、通信料を抑える。
【００３４】
また、請求項１３にかかる表示メニュー並び替え方法にて、前記指示工程では、送出停止を指示した項目に対して停止の解除を指示し、前記送出制御工程では、前記停止の解除指示が入力されると、当該項目の送出を再開することを特徴とする。
【００３５】
この発明によれば、センタから所定の項目のデータ送出を行わない場合には、端末装置からの送出停止の解除指示に対して、前記項目を再度センタから端末装置に送出できるように設定して、センタからの送信データを削減し、通信料を抑える。
【００３６】
また、請求項１４にかかる表示メニュー並び替え装置では、通信手段を介して各端末装置へのメニューの出力および前記メニューの並び替えを行う表示メニュー並び替え装置において、前記通信手段により接続された前記端末装置からの操作情報に基づいて、前記メニュー内の項目の並び替えを行う並び替え手段を備え、前記通信手段により、前記並び替えたメニューを前記端末装置に送出することを特徴とする。
【００３７】
この発明によれば、センタ側における表示メニュー並び替え装置が、たとえば端末装置から送信される操作部（キーボード、マウスなど）の釦の操作情報に基づいて、第１の並び替え手段が、メニュー毎に項目の並び替えを行い、かつそのメニューを保持しておき、次回のユーザの入力操作のときに、第１の送出手段が、この保持されたメニューを、端末装置に送ってディスプレイの画面上に表示することで、ユーザが必要とする情報の検索および表示を、迅速かつ容易に行う。
【００３８】
また、請求項１５にかかる端末装置では、通信手段を介して表示メニュー並び替え装置に各種情報を出力する端末装置において、前記通信手段により接続された前記表示メニュー並び替え装置に、メニューの並び替えを行わせるための特定情報を出力する情報出力手段を備え、前記通信手段により、並び替えられたメニューを表示メニュー並び替え装置から取り込むことを特徴とする。
【００３９】
この発明によれば、端末装置が定期的または情報入手時に通信手段を介して特定情報を出力して、表示メニュー並び替え装置でこの特定情報に基づいて、メニュー内の項目の並び替えを行わせ、この並び替えられたメニューを取り込むことで、所望の情報の検索および表示を、迅速かつ容易に行う。
【００４０】
また、請求項１６にかかる端末装置では、通信手段を介してセンタからダウンロードしたメニューを出力させる端末装置において、前記メニューを構成する項目を選択するための選択手段と、前記選択手段による前記メニューの項目の選択に基づいて、前記メニュー内の項目を並び替える第２の並び替え手段とを備え、前記第２の並び替え手段により並び替えられたメニューを、前記通信手段により前記センタに送出することを特徴とする。
【００４１】
この発明によれば、端末装置の並び替え手段を用いてユーザがメニューをカスタマイズし、項目が並び替えられたメニューを通信手段によりセンタに送出して、次回のユーザの入力操作のときにこの保持されたメニューを、センタから端末装置に送るようにすることで、ユーザが必要とする情報の検索および表示を、迅速かつ容易に行う。
【００４２】
また、請求項１７にかかる表示メニュー並び替えシステムでは、各ユーザの端末装置からの入力操作に対して、センタからメニューを出力して、前記端末装置に表示させる表示メニュー並び替えシステムにおいて、前記センタは、請求項１４に記載の表示メニュー並び替え装置を備え、前記端末装置は、請求項１５または１６の少なくとも一つに記載の端末装置からなり、前記端末装置から前記センタへの入力操作に対して、前記センタが階層構造のメニューの出力および前記メニューの並び替えを行うことを特徴とする。
【００４３】
この発明によれば、ユーザの入力操作に対して、実際の使用状況に見合った様々な条件でメニューの並び替えや不要な項目の削除などのデータ処理をセンタ側で実施し、このデータ処理されたメニューを端末装置に送出することで、ユーザが必要とする情報の検索および表示を、迅速かつ容易に行う。
【００４４】
【発明の実施の形態】
以下に図１〜図１４の添付図面を参照して、この発明にかかる表示メニュー並び替え方法、表示メニュー並び替え装置、端末装置およびこれら装置を用いた表示メニュー並び替えシステムの好適な実施の形態を説明する。
【００４５】
（実施の形態１）
図１は、この発明にかかる表示メニュー並び替えシステムの構成の一例を示す構成図である。図１において、この表示メニュー並び替えシステムは、各ユーザの車載端末装置１０と、この車載端末装置１０からの入力操作に対して、階層構造のメニューを順次出力して、ユーザに目的の情報を提供するセンタ２０とから構成されている。
【００４６】
車載端末装置１０は、たとえば車両に搭載されたモバイル環境にあり、携帯電話機１１と接続され、さらに携帯電話機１１との間で無線電波によるデータ通信を行う図示しないキャリア網やインターネットを介してセンタ２０と接続されている。この構成において、車載端末装置１０は、移動通信サービスを利用して、移動しながら携帯電話機１１を介し、センタ２０にアクセスして、ユーザに必要な情報の配信を受けている。
【００４７】
センタ２０は、データの入出力機能を有するＷｅｂサーバ２１と、メニューの並び替え制御を行うメニュー並び替え制御部２２と、各ユーザ毎にメニューの情報を格納するユーザ用メニュー格納部２３と、各ユーザの操作履歴や嗜好情報を格納する操作履歴データベース２４と、設定された目的地までのルート探索の結果の履歴を格納するルート用メニュー格納部２５とから構成されている。
【００４８】
Ｗｅｂサーバ２１は、車載端末装置１０へのメニューの提供や問い合せなどの出力を行うとともに、車載端末装置１０からの釦操作情報、位置情報、車種情報、接続情報およびメニュー画面レイアウト変更情報などの入力を、ＷＷＷ（Ｗｏｒｌｄ  Ｗｉｄｅ  Ｗｅｂ）ブラウザソフトウエアなどを利用するＷｅｂページ形式で行う。
【００４９】
メニュー並び替え制御部２２は、外部サーバ３０，３１と接続されており、外部サーバ３０，３１へ各種情報の要求を行って、外部サーバ３０，３１からこの要求に応じた各種情報の応答や世間情報の提供を受けている。メニュー並び替え制御部２２は、これら外部サーバ３０，３１からの各種情報を各ユーザの個人情報に基づいて選別し、Ｗｅｂサーバ２１に送出している。また、メニュー並び替え制御部２２は、車載端末装置１０から入力する釦操作情報を取り込み、選択されたメニューの項目を検出し、階層構造のメニュー毎に項目の並び替えを行い、そのメニューをユーザ用メニュー格納部２３に格納するとともに、次回の同一ユーザからの入力操作のときに、このユーザ用メニュー格納部２３に格納されたメニューを、車載端末装置１０に送出している。
【００５０】
ここで、図２のメニューの一例と図３にフローチャートを用いて、メニューの並び替え動作を説明する。図２は、ユーザの入力操作によって選択されるメニューの一例を示す図であり、図３は、図１に示したメニュー並び替え制御部２２によるメニューの並び替え制御動作を説明するためのフローチャートである。なお、この実施の形態では、図２に示すように、地域ニュースの項目を並び替える場合について説明するものであり、デフォルトのメニューは図２（ａ）に示すように、「東海」、「近畿」、「中国」および「四国」の項目の順に設定されている。
【００５１】
図３において、まず、メニュー並び替え制御部２２は、車載端末装置１０からのデータの入力を待っており（ステップ１０１）、データの入力があると、そのデータがＨＴＴＰ（Ｈｙｐｅｒ  Ｔｅｘｔ  Ｔｒａｎｓｆｅｒ  Ｐｒｏｔｏｃｏｌ）要求かどうか判断する（ステップ１０２）。
【００５２】
ここで、このデータがＨＴＴＰ要求でない場合には、このデータに対応した処理に移行して（ステップ１０３）、次のデータ入力を待つ。なお、このようなデータには、たとえば電子メールによる情報の配信などがある。また、このデータがＨＴＴＰ要求（地域ニュース）の場合には、ユーザ用メニュー格納部２３にメニューの照会を行い、結果応答を受ける（ステップ１０４）。次に、メニュー並び替え制御部２２は、この結果応答はメニュー階層の途中のメニューかどうか判断する（ステップ１０５）。
【００５３】
ここで、メニューがメニュー階層の途中のメニューの場合には、該当するメニューの並び替えを行い、その結果の書き替えを行ってユーザ用メニュー格納部に記憶させる（ステップ１０６）。その後、結果応答のメニューを車載端末装置１０に送信する（ステップ１０７）。
【００５４】
また、メニューが目的の情報に対応したメニューの場合には、外部サーバにＨＴＴＰ要求（地域ニュース）を送出し、外部サーバから、該当する地域ニュースの応答を受ける（ステップ１０８）。次に、該当するメニューの並び替えを行い、その結果の書き替えを行ってユーザ用メニュー格納部に記憶させた後に（ステップ１０９）、該当する地域ニュースの応答を車載端末装置１０に送信する（ステップ１１０）。そして、ステップ１０１に戻って、次のデータの入力を待つ。
【００５５】
このメニューの項目の並び替えは、たとえばユーザがキーボードやマウスの操作部を使用して釦操作を行うと、どの項目の釦が押されたかを示す情報が、センタ２０に送信される。図２（ａ）に示す例では、地域ニュースのメニューの中から「近畿」の項目の釦が押されて、この情報がセンタ２０に送信されるので、センタ２０では、この情報を用いて押された釦の「近畿」の項目が、地域ニュースのメニューの先頭に表示されるように、メニューの並び替えを繰り返す。
【００５６】
そして、その結果の書き替えを行って、ユーザ用メニュー格納部に記憶させる。実際に書き替えたメニューを表示するのは、書き替えてすぐに行うのではなく、たとえば図２（ｂ）に示すように、別のメニュー（プロ野球のメニュー）を閲覧して、次に地域ニュースを閲覧するときに、図２（ｃ）に示すように、「近畿」が先頭に書き替えられた地域ニュースのメニューが、センタ２０から車載端末装置１０に送信されて、車載端末装置１０の表示部に表示されることとなる。
【００５７】
次に、図４のシーケンス図を用いて、このシステムの動作を説明する。図４は、図１に示した車載端末装置１０が必要な情報を取得する場合のデータの流れの一例を示すシーケンス図である。図４において、ユーザが車載端末装置１０を用いて釦操作を行い、地域ニュースの「近畿」の項目を選択すると、ＨＴＴＰ要求（地域ニュース）が車載端末装置１０からＷｅｂサーバ２１に送信される。Ｗｅｂサーバ２１は、このＨＴＴＰ要求を受け取ると、地域ニュース要求をメニュー並び替え制御部２２に送出する。
【００５８】
メニュー並び替え制御部２２は、地域ニュース要求が入力すると、図３のフローチャートに示した動作を行って、ユーザ用メニュー格納部２３にメニューを照会し、その結果応答を受け、地域ニュースのＨＴＴＰ要求を外部サーバ３０に行い、その地域ニュースの応答を受ける。次に、メニュー並び替え制御部２２は、ユーザの釦操作によって選択された項目をメニューの先頭に表示されるように、メニューの並び替えを行って、ユーザ用メニュー格納部２３に格納されているメニュー情報をその結果に基づいて書き替える。この書き替え後に、外部サーバ３０から得た地域ニュース応答をＷｅｂサーバ２１に送出する。
【００５９】
Ｗｅｂサーバ２１は、車載端末装置１０から要求のあった地域ニュースの情報をＨＴＴＰ応答として送信し、この車載端末装置１０にこの地域ニュースの情報を表示させる。
【００６０】
このように、この実施の形態では、メニューまたはメニュー内の階層の表示を並び替える制御を、ユーザにこのメニューを提供する車載端末装置１０に接続されたセンタ２０で行うように設定し、センタ２０では、メニューを直近（最新）の操作順に基づいて並び替えるので、実際の使用状況に沿った順序でメニューが車載端末装置１０に表示されることとなり、これによってユーザが必要とする情報の検索および表示を、迅速かつ容易に行うことができる。
【００６１】
また、この実施の形態では、センタ２０側でメニューの情報を保持して、車載端末装置１０の表示制御を行うので、データの保管や処理能力に制限がある小型、低コストの車載端末装置１０に、この発明を用いた場合でも、車載端末装置１０の操作性を向上させることができる。また、メニューの並び替えの操作は、ユーザによる釦操作がなされたその場限りの操作であるので、操作履歴などを残す必要がなく、迅速かつ容易に実行することができる。
【００６２】
（実施の形態２）
図５は、ニュース記事のメニューの一例を示す図である。従来では、ニュース記事が多数記載されている場合には、図５（ａ），（ｂ）に示すように、複数頁にわたって既読のニュース記事と読まれていない未読のニュース記事が混在して表示されており、未読分のニュース記事のみを迅速に検索することができなかった。
【００６３】
そこで、この実施の形態では、実施の形態１に示した釦操作によって、ユーザがどの項目のニュース記事を読んだか検出できるので、図５（ｃ）に示すように、センタ２０のメニュー並べ替え制御部２２で、未読のニュース記事を先頭頁に並び替え、既読のニュースを後方頁に並び替える操作を順次行う。
【００６４】
このように、この実施の形態では、ニュース記事を未読分と既読分とに別け、未読分を既読分のニュース記事の先頭に並び替えて表示するので、実際の閲覧状況に沿った順序でメニューが車載端末装置１０に表示されることとなり、これによってユーザが必要とする情報の検索および表示を、迅速かつ容易に行うことができる。
【００６５】
（実施の形態３）
図６は、天気予報のメニューの一例を示す図である。従来、車両のカーナビゲーションシステムでは、ジャイロ機能などを用いてナビゲーション装置内で現在の車両の位置を検出するものがあったが、このシステムでは、現在位置と目標位置のルートをユーザに通知するためのものであり、センタから他の情報、たとえば現在の走行位置や目標位置での天候情報や行楽情報などを関連付けて検索することはできなかった。
【００６６】
そこで、この実施の形態では、車両３の現在の位置情報や目的地の位置情報と、現在位置や目的地での他の情報とを関連付けて検索できるシステムを提供する。なお、ユーザは、たとえば車両３のエンジンの起動時に、自車の現在位置や目的地の位置データを予め車載端末装置１０からセンタ２０に通知しておく。センタ２０では、この通知を受け取ると、設定された目的地までのルート探索を行い、このルート探索の結果を車載端末装置１０に送信するとともに、このルート探索の結果の履歴をユーザ用メニュー格納部２５に格納する。
【００６７】
このような状況下で、図６に示すように、車載端末装置１０は、定期的または情報入手時に現在位置または／および目的地の位置などの位置情報をセンタ２０に送信している。センタ２０のメニュー並び替え制御部２２は、この車載端末装置１０からの情報により、この車載端末装置１０が搭載されている車両３の位置が把握できるので、この車両３の位置に合わせて関連するメニュー、たとえば天気予報のメニューや行楽地のメニューを並び替える。
【００６８】
ここで、たとえば図６の天気予報のメニューと図７のシーケンスに示すように、車両が大阪近郊で自車位置データをセンタ２０に送信すると、メニュー並び替え制御部２２は、天気予報のメニューの項目を「大阪市」とその近郊の「尼崎市」、「西宮市」および「芦屋市」の順に並び替え、天気予報のメニュー１としてユーザ用メニュー格納部２３に格納する。
【００６９】
次に、車両が神戸市近郊で自車位置データをセンタ２０に送信すると、メニュー並び替え制御部２２は、天気予報のメニューの項目を「神戸市」とその近郊の「明石市」、「加古川市」および「姫路市」の順に並び替え、天気予報のメニュー２としてユーザ用メニュー格納部２３に格納する。
【００７０】
そして、ユーザが車載端末装置１０を用いて釦操作を行い、天気予報のメニューを選択すると、ＨＴＴＰ要求（天気予報）と自車位置データが車載端末装置１０からＷｅｂサーバに送信される。Ｗｅｂサーバ２１は、このＨＴＴＰ要求を受け取ると、天気予報要求と自車位置データをメニュー並び替え制御部２２に送出する。
【００７１】
メニュー並び替え制御部２２は、天気予報要求と自車位置データが入力されると、ユーザ用メニュー格納部２３にメニューを照会し、その結果応答を受けるとともに、自車位置データに基づいて、ルート用メニュー格納部２５にルートを照会し、その結果応答を受ける。次に、メニュー並び替え制御部２２は、選択された地域の天気予報のＨＴＴＰ要求を外部サーバ３０に行い、その地域の天気予報応答を受ける。さらに、メニュー並び替え制御部２２は、ユーザの釦操作によって選択された項目をメニューの先頭に表示されるように、メニューの並び替えを行って、ユーザ用メニュー格納部２３に格納されているメニュー情報をその結果に基づいて書き替える。この書き替え後に、外部サーバ３０から得た地域の天気予報応答をＷｅｂサーバ２１に送出する。
【００７２】
Ｗｅｂサーバ２１は、車載端末装置１０から要求のあった地域の天気予報の情報をＨＴＴＰ応答として送信し、この車載端末装置１０に選択された地域の天気予報の情報を表示させる。なお、目的地の天気予報の情報を得たい場合には、自車位置データの代わりに、目的地の位置データをＨＴＴＰ要求（天気予報）とともに、センタ２０に送信すれば、迅速かつ容易に目的地の天気予報の情報を得ることができる。
【００７３】
このように、この実施の形態では、実施の形態１と同様の効果を得ることができるとともに、車載端末装置１０が定期的または情報入手時に送信する現在位置または／および目的地の位置などの位置情報をセンタ２０に送出し、センタ２０では、この位置情報に基づいて、メニュー内の項目を並び替えることで、たとえば特定の地域別に報知される天気予報の情報の検索および表示を、迅速かつ容易に行うことができる。
【００７４】
（実施の形態４）
図８は、駐車場の空きのメニューの一例を示す図である。この実施の形態では、車両の車種情報と、その車種に関連した情報、たとえば駐車場の空きの情報とを関連付けて検索する。なお、車種情報とは、たとえば車両の幅、重量、車高および外形などの情報が含まれている。
【００７５】
この場合には、たとえば車両のエンジンの起動時に、自車の車種情報や現在位置データを、ユーザの入力操作または車載端末装置１０のプログラムにより、予め車載端末装置１０からセンタ２０に通知しておく。センタ２０のメニュー並び替え制御部２２では、この通知を受け取ると、現在位置周辺の駐車場の空き情報を外部サーバ３０から検索する。
【００７６】
メニュー並び替え制御部２２は、通常では図８（ａ）に示すように、空きのある駐車場Ａ〜Ｄをメニューにランダム表示するが、この実施の形態では、車種情報がメニュー並び替え制御部２２で把握されているので、その車種で不要な情報は、メニューの後方に並び替えられる。たとえば、駐車場の空き情報を表示するメニューでは、車種が普通自動車の場合には、大型自動車などに対する駐車場の空き情報（たとえば、「駐車場Ａ」の空き情報）は不要となるので、図８（ｂ）に示すように、「駐車場Ａ」をメニューの後方に並び替え、ユーザ用メニュー格納部２３に格納する。なお、車載端末装置１０が必要な情報を取得する場合のシーケンスは、図４とほぼ同様な流れになるので、ここでは説明を省略するが、車載端末装置１０からは、ＨＴＴＰ要求（駐車場の空き）と自車位置データが送出されることとなる。
【００７７】
このように、この実施の形態では、車の車種情報を車載端末装置１０からセンタ２０に送信し、センタ２０でこの車種情報に基づいて、車種に必要な項目を特定項目の先頭に順次並び替えるので、たとえば駐車場の空き状態を表示するメニューでは、該当する車種の項目に対しては、特定項目の先頭に並び替えて、ユーザから空き情報の要求があると、必要な情報を先頭に表示させたメニューを車載端末装置に送信して、迅速かつ容易なメニュー検索を行うことを可能にする。
【００７８】
なお、この実施の形態では、該当する車種に不要な情報を必要な情報の後方に表示させるように設定したが、この発明はこれに限らず、たとえば不要な情報に対しては、後方に表示させるとともに、［駐車場Ａ］の後にカッコつきで「不可」などのコメントを追記したり、「駐車場Ａ」の文字の輝度を落として表示させて、不要な情報であることを強調させることも可能である。
【００７９】
（実施の形態５）
図９は、車内の接続情報のメニューの一例を示す図である。この実施の形態では、車内の接続情報、たとえば車内に接続されているＣＤプレーヤ、ＭＤプレーヤ、ＤＶＤプレーヤおよびテレビなどの電気機器の情報が含まれている。
【００８０】
この場合には、たとえば実施の形態４と同様に、車両のエンジンの起動時に、車内の接続情報をユーザの入力操作または車載端末装置１０のプログラムにより、予め車載端末装置１０からセンタ２０に通知しておく。センタ２０のメニュー並び替え制御部２２では、この通知を受け取ると、車内の接続情報を外部サーバ３０から検索する。
【００８１】
メニュー並び替え制御部２２は、通常では図９（ａ）に示すように、車内の接続機器の情報をメニューにランダム表示するが、この実施の形態では、接続情報がメニュー並び替え制御部２２で把握されているので、その接続情報に基づいてメニューを並び替える。たとえば、ＭＤプレーヤが車内に接続されていない場合には、ＭＤプレーヤに対する情報は不要となるので、図９（ｂ）に示すように、「ＭＤプレーヤ」をメニューの後方に並び替え、ユーザ用メニュー格納部２３に格納する。なお、車載端末装置１０が必要な情報を取得する場合のシーケンスは、図４とほぼ同様な流れになるので、ここでは説明を省略するが、車載端末装置１０からは、ＨＴＴＰ要求（車内の接続機器）が送出されることとなる。
【００８２】
このように、この実施の形態では、車内の接続情報を車載端末装置１０からセンタ２０に送信し、センタ２０でこの接続情報に基づいて、接続に必要な項目を、特定項目の先頭に順次並び替えるので、たとえばＭＤプレーヤが接続されていない車載端末装置１０に対しては、ＭＤに関する情報を後方に並び替えて、ユーザから接続機器の情報の要求があると、必要な情報を先頭に表示させたメニューを車載端末装置１０に送信して、迅速かつ容易なメニュー検索を行うことを可能にする。
【００８３】
また、この実施の形態でも、実施の形態４と同様に、たとえば不要な情報に対しては、後方に表示させるとともに、［ＭＤプレーヤ］の後にカッコつきで「不可」などのコメントを追記したり、「ＭＤプレーヤ」の文字の輝度を落として表示させて、不要な情報であることを強調させることも可能である。
【００８４】
（実施の形態６）
図１０は、プロ野球のメニューの一例を示す図である。この実施の形態では、センタ２０から車載端末装置１０へのデフォルトのメニュー提供時に、より多くのユーザが満足できるようにデフォルトのメニューを並び替える。
【００８５】
メニュー並び替え制御部２２は、通常では図１０（ａ）に示すように、プロ野球の情報を前年度優勝リーグから始まり、前年度順位順に球団を表示するが、この実施の形態では、図１０（ｂ）に示すように、メニューの項目にあげる球団をファンの多い順に並び替える。このような配列にするのは、ファンの多い順に使用頻度が多くなることが予想されるためで、いずれかの球団に対する明確なファンでない人にとっても、この配列の方が見やすくなる。また、たとえば地域を示すメニューの場合には、通常北から順番に表示していくが、ユーザ数から推考すると、「関東」、「近畿」、「東北」、「……」の順に並び替える方が、使用頻度が多くなることが予想されるため、ページ送りやスクロールする回数の確立が下がる。
【００８６】
そこで、プロ野球の球団を、図１０（ｂ）に示すように並び替えを行って、ユーザ用メニュー格納部２３に格納する。なお、車載端末装置１０が必要な情報を取得する場合のシーケンスは、図４とほぼ同様な流れになるので、ここでは説明を省略するが、車載端末装置１０からは、ＨＴＴＰ要求（プロ野球）が送出されることとなる。また、これらの根拠となるデータは、メニュー並び替え制御部２２が外部サーバ３１から取り込んでもよいし、または予めメニュー並び替え制御部２２が保持しておくことも可能である。
【００８７】
このように、この実施の形態では、デフォルトのメニュー内の項目を、各ユーザのニーズ、たとえば世間での人気動向に基づいて、人気の多い順に並び替えるので、より多くのユーザが満足できる順番でメニューを表示でき、これにより迅速かつ容易なメニュー検索を行うことを可能にする。
【００８８】
（実施の形態７）
図１１は、図１に示した車載端末装置の構成を示す構成図であり、図１２は、プロ野球のメニューの他の例を示す図である。図１１において、車載端末装置１０は、キーボードやマウスなどからなる操作部１２と、メニューの並び替え制御を行うメニュー並び替え制御部１３と、ユーザのメニューの情報を一時格納するカスタマイズ用メニュー格納部１４と、操作部１２で選択されたメニューを表示する表示部１５と、センタ２０とメニューの入出力を行う入出力部１６とから構成されている。
【００８９】
この実施の形態では、車載端末装置１０側で優先度を上げたい項目がある場合に、ユーザが車載端末装置１０の操作部１２を用いて釦操作を行い、該当する項目、たとえば図１２（ａ）に示す「オリックス」を選択し、この釦を一定時間以上押下すると、メニュー並び替え制御部１３が、優先度を上げたい項目と判断して、メニューの並び替えを行うとともに（図１２（ｂ）参照）、このメニューの情報を入出力部１６を介してセンタ２０へ転送する。
【００９０】
次に、図１３のフローチャートを用いてメニュー並び替え制御部１３によるメニューの並び替え制御動作を説明する。まず、メニュー並び替え制御部１３は、ユーザによる操作部１２の入力操作でメニューが選択されると、このメニューの情報を表示部１５に表示させる（ステップ２０１）。そして、このメニュー内の項目の釦操作があるかどうか判断し（ステップ２０２）、この釦操作があると、その釦が一定時間以上押下されたかどうか判断する（ステップ２０３）。
【００９１】
ここで、一定時間以上の押下がない場合には、メニュー内の項目の選択動作と判断して、該当する項目の情報を入出力部１６からセンタ２０に送出させる（ステップ２０４）。また、この釦の一定時間以上の押下がある場合には、メニュー内の項目の並び替え指示と判断して、メニュー内の項目の並び替えを行う（ステップ２０５）。
【００９２】
次に、メニュー並び替え制御部１３は、並び替えたメニューの情報に基づき、カスタマイズ用メニュー格納部１４のメニューの書き替えを行うとともに、この並び替えた最新のメニューの情報をセンタ２０に送信する。
【００９３】
すなわち、図１２において、たとえば図１２（ａ）に示すプロ野球のメニューのうちの２頁以降のメニューの「オリックス」を選択した入力操作があると、メニュー並び替え制御部１３は、この項目が一定時間以上押下されている場合には、プロ野球のメニューのうちの１頁目（図１０（ａ）参照）の先頭に「オリックス」が表示されるように、メニューの並び替えを繰り返す。なお、長押しでメニューがランクアップする場合、たとえば一つ上の階層のメニューの項目にランクアップさせてもよいし、一気に最上位のメニューの項目までランクアップさせることも可能である。
【００９４】
このように、この実施の形態では、車載端末装置１０を用いてユーザがメニューをカスタマイズし、項目が並び替えられたメニューをセンタ２０に送出して、センタ２０で保持し、次回のユーザの入力操作のときにこの保持されたメニューを、車載端末装置１０に送って表示部１５の画面上に表示するので、ユーザが必要とする情報の検索および表示を、迅速かつ容易に行うことを可能にする。
【００９５】
（実施の形態８）
図１４は、カスタマイズ用のメニューの一例を示す図である。上述した実施の形態に示すように、メニューの並び替えには、様々な方法が推考されており、メニューの内容によって最適な配列方法は異なる。また、ユーザの嗜好によっても、配列方法は異なってくる。そこで、各ユーザに最適な配列のメニューが与えられるように、メニュー毎に異なる並び替え条件でカスタマイズできるようにする。
【００９６】
この実施の形態では、車載端末装置１０のカスタマイズ用メニュー格納部１４にメニューをカスタマイズするためのメニューを格納させておき、メニュー毎にカスタマイズ用のメニューを選択できるようにする。たとえば、天気予報のメニューに対しては、図１４（ａ）に示すように、初期設定である「デフォルト」と、目的地の天候を表示させるための「ラスト操作」と、現在の位置データに対応させて天候を表示させるための「位置依存」などの項目が設定されている。
【００９７】
また、ニュースのメニューに対しては、図１４（ｂ）に示すように、初期設定である「デフォルト」と、未読を先頭の状態に並び替える「未読、既読」と、嗜好情報によって並び替える「嗜好情報」などの項目が設定されている。
【００９８】
さらに、スポーツのメニューに対しては、図１４（ｃ）に示すように、初期設定である「デフォルト」と、ユーザの操作回数に対応させてメニューを並び替える「操作回数」と、人気の度合いに対応させてメニューを並び替える「人気」などの項目が設定されている。
【００９９】
車載端末装置１０は、ユーザの入力操作に対応して、これらの項目から該当する項目を選択して、センタ２０に選択された設定情報を送出している。センタ２０は、これらメニューの設定情報を取り込むと、この設定情報をユーザ毎にユーザ用メニュー格納部２３に格納し、当該メニューが選択されたときに、この設定情報に応じた並べ替え条件によって、メニューの並び替えを行う。
【０１００】
このように、この実施の形態では、車載端末装置１０でメニュー毎に並び替える条件、たとえば優先度などをユーザによる入力操作で選択してセンタ２０に送出し、この条件でセンタ２０が項目の並び替えを行うので、メニュー毎にユーザが必要とする情報に最適化でき、ユーザが必要とする情報の検索および表示を、迅速かつ容易に行うことができる。
【０１０１】
（実施の形態９）
車載端末装置１０が所望の情報を得るために、表示メニューに関するデータをセンタ２０から車載端末装置１０にその都度送信するのでは、トラフィック量が多くなり伝送効率が良くない。また、この送信のたびに通信費用が生じることとなり料金効率も悪くなる。したがって、料金体系が従量制の場合には、データ通信量が少しでも短いことが望まれる。
【０１０２】
そこで、この実施の形態では、メニューの並び替えを実施する場合には、明らかにメニューの送信が不要と断定できるときがあるので、このようなときには、メニューの送信を行わないように設定することも可能である。たとえば、上述した実施の形態では、自車が普通自動車の場合に、図８のメニューに示した大型自動車の駐車場の空きを示す情報、また逆に自車が大型自動車の場合に、普通自動車の駐車場の空きを示す情報は、明らかに不要なメニューの項目であるので、このメニューの項目から削除してデータのトラフィック量を削減することも可能である。
【０１０３】
このように、この実施の形態では、メニューの項目のうち、明らかに不要な項目は、センタ２０から車載端末装置１０に送信しないように設定することで、料金体系が従量制の場合には、データ通信量が削減されて伝送効率が向上し、かつこれに伴ってデータ通信の通信料を抑えることが可能となる。
【０１０４】
（実施の形態１０）
また、実施の形態９と関連して、これまでに１度も使用されたことがない項目もユーザにとっては、不要な情報の一つである。そこで、この実施の形態では、メニュー並び替え制御部２２が、車載端末装置１０との通信履歴をとり、この履歴情報を操作履歴データベース２４に格納させておき、メニューを送信するときに、１度も使用されたことがない項目を、このメニューから削除して車載端末装置１０に送信しないように制御する。
【０１０５】
なお、この項目の削除は、メニュー並び替え制御部２２で自動的に削除することも可能ではあるが、たとえこれまでに１度も選択されたことがない項目であっても、将来的には使用される可能性もある。そこで、この実施の形態では、１度も選択されていないメニューの項目に対しては、送信の有無を車載端末装置１０に問い合わせて確認を行い、送信の無の応答があった場合には、該当する項目の情報を車載端末装置１０に送信しないように設定し、送信の有の応答があった場合には、該当する項目の情報を車載端末装置１０に送信するように設定する。
【０１０６】
また、上述したように、１度も選択されたことがない項目を、センタ２０から車載端末装置１０に送信しないように設定した場合でも、急遽使用する場合もある。このような場合には、車載端末装置１０から送信停止の解除を指示する指示情報をセンタ２０に送信する。センタ２０では、この指示情報を取り込むと、該当するメニューに削除した項目を追加し、送信が可能になる状態に更新する。
【０１０７】
このように、この実施の形態では、これまでに１度も選択されていないメニューの項目を、センタ２０から車載端末装置１０に送信しないように制御するので、料金体系が従量制の場合には、データ通信量が削減されて伝送効率が向上し、かつこれに伴ってデータ通信の通信料を抑えることが可能となる。
【０１０８】
この発明は、これら実施の形態に限定されるものではなく、この発明の要旨を逸脱しない範囲で種々の変形実施が可能である。たとえば、上述した実施の形態９では、不要な項目を削除する場合について説明したが、この発明はこれに限らず、たとえば実施の形態１０と同様に、必要に応じて送信停止の問合せや送信停止の解除指示を行うように設定することも可能である。なお、端末装置は、通信機能を有していれば良く、たとえば入力操作部と表示部を備えた携帯電話機、パソコンなどであっても良い。また、この発明では、たとえば実施の形態１〜６，９，１０に示したメニューまたはメニュー内の階層の表示を並び替える制御を、端末装置で行うように構成することも可能である。
【０１０９】
【発明の効果】
以上説明したように、この発明では、センタが、釦操作で選択された項目を検出し、この検出された項目がメニューの先頭に順次エントリされるように、階層構造のメニューの並び替えを行い、次回のユーザの入力操作のときにこのメニューを車載端末装置に送出して表示させるので、ユーザが必要とする情報の検索および表示を、迅速かつ容易に行うことができるとともに、センタ側で端末の表示制御を行うことで、端末の操作性を向上させることができる。
【０１１０】
また、この発明では、釦操作で閲覧された目的の情報に対応した項目を閲覧前の情報に対応した項目の後に順次並び替えを行い、次回のユーザの入力操作のときにこのメニューを端末装置に送出して表示させるので、ユーザが次に見たい情報の検索および表示を、迅速かつ容易に行うことができるとともに、センタ側で端末の表示制御を行うことで、端末の操作性を向上させることができる。
【０１１１】
また、この発明では定期的または情報入手時に送信する、端末装置の位置情報に基づいて、メニューの項目を並び替え、次回のユーザの入力操作のときにこのメニューを端末装置に送出して表示させるので、位置情報に関連した情報の検索および表示を、迅速かつ容易に行うことができるとともに、センタ側で端末の表示制御を行うことで、端末の操作性を向上させることができる。
【０１１２】
また、この発明では、端末装置から入力する車の車種情報に基づいて、該当する車種に関連する情報に対応するメニューの項目を、メニューの特定項目の先頭に順次並び替えを行い、次回のユーザの入力操作のときにこのメニューを端末装置に送出して表示させるので、車種情報に関連した情報の検索および表示を、迅速かつ容易に行うことができるとともに、センタ側で端末の表示制御を行うことで、端末の操作性を向上させることができる。
【０１１３】
また、この発明では、端末装置から送信される車内の接続情報に基づいて、センタが必要な項目を、特定項目の先頭に順次並び替え、次回のユーザの入力操作のときにこのメニューを端末装置に送出して表示させるので、接続情報に関連した情報の検索および表示を、迅速かつ容易に行うことができるとともに、センタ側で端末の表示制御を行うことで、端末の操作性を向上させることができる。
【０１１４】
また、この発明では、メニューの提供時に、デフォルトのメニュー内の項目を、各ユーザのニーズの多い順に並び替えを行い、このメニューを端末装置に送出して表示させるので、より多くのユーザが満足できる順番でメニューを表示することができる。
【０１１５】
また、この発明では、端末装置を用いてユーザがメニューをカスタマイズし、項目が並び替えられたメニューをセンタに送出し、次回のユーザの入力操作のときにこのメニューを端末装置に送出して表示させるので、ユーザが必要とする情報の検索および表示を、迅速かつ容易に行うことができる。
【０１１６】
また、この発明では、メニュー毎に項目を並び替える条件を端末装置で選択して、センタに送出し、この条件でセンタが項目の並び替えを行い、次回のユーザの入力操作のときにこのメニューを端末装置に送出して表示させるので、メニュー毎にユーザが必要とする情報に最適化して、ユーザが必要とする情報の検索および表示を、迅速かつ容易に行うことができる。
【０１１７】
また、この発明では、メニューの項目のうち、明らかに不要な項目は、センタから端末装置に送信しないように設定するので、次回のユーザの入力操作のときにこのメニューを端末装置に送出して表示させるので、データ通信量が削減されて、通信料を抑えることができる。
【０１１８】
また、この発明では、これまでに１度も選択されていないメニューの項目を、センタから端末装置に送信しないように制御するので、センタからの送信データを削減し、通信料を抑えることができる。
【図面の簡単な説明】
【図１】この発明にかかる表示メニュー並び替えシステムの構成の一例を示す構成図である。
【図２】ユーザの入力操作によって選択されるメニューの一例を示す図である。
【図３】図１に示したメニュー並び替え制御部によるメニューの並び替え制御動作を説明するためのフローチャートである。
【図４】図１に示した車載端末装置が必要な情報を取得する場合のデータの流れの一例を示すシーケンス図である。
【図５】実施の形態２に示したニュース記事のメニューの一例を示す図である。
【図６】実施の形態３で示した天気予報のメニューの一例を示す図である。
【図７】図１に示した車載端末装置が必要な情報を取得する場合のデータの流れの他の例を示すシーケンス図である。
【図８】実施の形態４で示した駐車場の空きのメニューの一例を示す図である。
【図９】車内の接続情報のメニューの一例を示す図である。
【図１０】プロ野球のメニューの一例を示す図である。
【図１１】図１に示した車載端末装置の構成を示す構成図である。
【図１２】プロ野球のメニューの他の例を示す図である。
【図１３】図１１に示したメニュー並び替え制御部によるメニューの並び替え制御動作を説明するためのフローチャートである。
【図１４】カスタマイズ用のメニューの一例を示す図である。
【符号の説明】
１，２  メニュー
３  車両
１０  車載端末装置
１１  携帯電話機
１２  操作部
１３，２２  メニュー並び替え制御部
１４  カスタマイズ用メニュー格納部
１５  表示部
１６  入出力部
２０  センタ
２１  Ｗｅｂサーバ
２３  ユーザ用メニュー格納部
２４  操作履歴データベース
２５  ルート用メニュー格納部
３０，３１  外部サーバ
Ａ〜Ｄ  駐車場
【図１】
2004295698.tif 000003
【図２】
2004295698.tif 000004
【図３】
2004295698.tif 000005
【図４】
2004295698.tif 000006
【図５】
2004295698.tif 000007
【図６】
2004295698.tif 000008
【図７】
2004295698.tif 000009
【図８】
2004295698.tif 000010
【図９】
2004295698.tif 000011
【図１０】
2004295698.tif 000012
【図１１】
2004295698.tif 000013
【図１２】
2004295698.tif 000014
【図１３】
2004295698.tif 000015
【図１４】
2004295698.tif 000016